(57)【要約】【課題】  ＬＡＮなどのインフラ設備が無いような調剤薬局であっても作業性の良い調剤ミス防止手段を低コストにて提供する。【解決手段】  処方箋情報を入力し、入力した処方箋情報をコード情報に変換してコード画像を印刷処理する為のレセプトコンピュータ１及び印刷装置２と、このレセプトコンピュータ１及び印刷装置２により印刷されたコード画像を読取って処方箋情報を認識すると共に、包装薬剤の画像を読み取って包装薬剤の薬剤名を認識し、この認識した薬剤名と上記認識した処方箋情報とから読取り対象の包装薬剤が処方箋情報に含まれる包装薬剤であるか否かの薬剤監査処理を行う為の画像読取装置３及び薬剤監査処理装置４とを備える。【選択図】  図１
2005034479.tif 000002
【特許請求の範囲】
【請求項１】
処方箋情報を入力し、該入力した処方箋情報をコード情報に変換してコード画像を印刷する印刷処理手段と、
前記印刷処理手段により印刷されたコード画像を読取って処方箋情報を認識すると共に、包装薬剤の画像を読み取って該包装薬剤の薬剤名を認識し、該認識した薬剤名と前記認識した処方箋情報とから当該読取り対象の包装薬剤が処方箋情報に含まれる包装薬剤であるか否かの薬剤監査処理を行う薬剤監査手段と
を具えることを特徴とする薬剤監査システム。
【請求項２】
前記コード画像は、
当該コード画像で特定される処方箋の内容を示す文字情報が印刷される調剤指示書に付加される２次元コードであることを特徴とする請求項１記載の薬剤監査システム。
【請求項３】
処方箋情報を入力し、該入力した処方箋情報をコード情報に変換してコード画像を印刷する印刷処理手段によって印刷されたコード画像を読取って処方箋情報を認識すると共に、包装薬剤の画像を読み取って該包装薬剤の薬剤名を認識し、該認識した薬剤名と前記認識した処方箋情報とから当該読取り対象の包装薬剤が処方箋情報に含まれる包装薬剤であるか否かの薬剤監査処理を行う
ことを特徴とする薬剤監査装置。
【請求項４】
前記コード画像は、
当該コード画像で特定される処方箋の内容を示す文字情報が印刷される調剤指示書に付加される２次元コードであることを特徴とする請求項３記載の薬剤監査装置。
【請求項５】
処理装置で用いられる処理プログラムであって、
前記処理装置で入力した処方箋情報をコード情報に変換する変換処理ステップと、
コード画像を読取って処方箋情報を認識すると共に、包装薬剤の画像を読み取って該包装薬剤の薬剤名を認識し、該認識した薬剤名と前記認識した処方箋情報とから当該読取り対象の包装薬剤が処方箋情報に含まれる包装薬剤であるか否かの薬剤監査処理を行う薬剤監査装置で読取られるコード画像を、前記変換処理ステップにより変換したコード情報に基づき印刷装置に印刷指示する印刷指示処理ステップと
を実行することを特徴とする処理プログラム。
【発明の詳細な説明】
【技術分野】
【０００１】
本発明は、病院などの薬局、或いは調剤薬局において、調剤するときに患者に渡す薬剤に誤りのないように薬剤監査を行う薬剤監査システム及び薬剤監査装置に関し、特に、ＬＡＮなどのインフラ設備が無いような薬局であっても作業性の良い調剤ミス防止手段を低コストにて提供することができる薬剤監査システム及び薬剤監査装置に関するものである。
【背景技術】
【０００２】
従来、病院などの薬局或いは調剤薬局における調剤ミスを防止するための調剤ミス防止システムが提案されている（特許文献１及び特許文献２参照）。
【０００３】
具体的に、特許文献１のシステムでは、調剤薬局において、患者が持参した処方箋に付与されている処方箋発行番号をバーコードリーダ（８４）で読取り、その読取った処方箋発行番号に基づき患者の処方箋データを調剤薬局外部の支援センターのコンピュータシステム（７）からインターネット等を介して調剤機関のコンピュータがインターネット接続装置を用いて取得する。そして、その取得した処方箋データを調剤作業場所等に設置されたバーコード読取り機能付き端末機（８）に送信することにより、処方箋データがその端末機（８）に記憶される。
【０００４】
そして、調剤作業者が、端末（８）の表示部に表示される処方箋データの薬剤を薬剤棚から見つけ出し、その見つけ出した薬剤に貼られているバーコードをバーコードリーダ（８４）で読取ることで、端末（８）において、記憶している処方箋データと読取ったバーコード情報とを照合し、調剤ミスをチェックするようになっている。
【０００５】
また、特許文献２のシステムでは、調剤薬局において、患者が持参した処方箋の情報をコンピュータ（４ｂ）に手入力或いはスキャナを用いて入力する。そして、そのコンピュータ（４ｂ）に入力された処方箋データを調剤作業場所等に設置されたコンピュータ（４ｄ）にＬＡＮ等を介して伝送することにより、コンピュータ（４ｄ）に処方箋データが記憶される。
【０００６】
そして、調剤作業者が、処方箋と薬剤棚に貼られた薬剤名ラベルから所望の薬剤が収納されている薬剤収納体を見つけ出し、その薬剤収納体に貼られたバーコード部をバーコードリーダ機能付きハンディターミナル（３）で読取ることで、コンピュータ（４ｄ）において、記憶している処方箋データと読取ったバーコードデータとを照合し、調剤ミスをチェックするようになっている。
【０００７】
ところが、上述のような調剤チェックを行う装置［バーコード読取り機能付き端末機（８）、或いはハンディターミナル（３）及びコンピュータ（４ｄ）など］が設置されていない現状の調剤薬局において、それら特許文献１及び特許文献２のようなシステムを適用する場合、以下のような不都合がある。
【０００８】
即ち、特許文献１及び特許文献２の両者ともに、レセプト（診療報酬明細書）処理すなわち健康保険請求業務用の端末（以下、単に「レセプト処理端末」と言う。）に処方箋データを入力する以外に、調剤チェックを行う端末［バーコード読取り機能付き端末機（８）或いはコンピュータ（４ｄ）など］に処方箋データを転送するのにＬＡＮなどのインフラ設備を用意する必要があるため、そのようなインフラ設備がないような調剤薬局では適用することは難しい。そのようなインフラ設備を設けようとすると、システム構築費用としてコスト高となり経済的でないからである。
【０００９】
【特許文献１】特開２００２−３０４４６９号公報
【特許文献２】特開２００２−２３６７４８号公報
【発明の開示】
【発明が解決しようとする課題】
【００１０】
上述の如く、特許文献１及び特許文献２のような調剤チェックを行う装置［バーコード読取り機能付き端末機（８）、或いはハンディターミナル（３）及びコンピュータ（４ｄ）など］が設置されていない現状の調剤薬局において、それら特許文献１及び特許文献２のようなシステムを適用すると、調剤チェック装置とそのレセプト処理端末間で処方箋データを転送するＬＡＮ等のインフラ設備が必要であるので、そのようなインフラ設備がないような調剤薬局では適用することは難しく、そのようなインフラ設備を用意するとコスト的に不経済なものとなる。
【００１１】
そこで、本発明は上記実状に鑑み、ＬＡＮなどのインフラ設備が無いような調剤薬局であっても作業性の良い調剤ミス防止手段を低コストにて提供することが可能な薬剤監査システム及び薬剤監査装置を提供することを目的とするものである。
【課題を解決するための手段】
【００１２】
上記目的を達成するため、請求項１の発明は、処方箋情報を入力し、該入力した処方箋情報をコード化情報に変換してコード画像を印刷する印刷処理手段と、前記印刷処理手段により印刷されたコード画像を読取って処方箋情報を認識すると共に、包装薬剤の画像を読み取って該包装薬剤の薬剤名を認識し、該認識した薬剤名と前記認識した処方箋情報とから当該読取り対象の包装薬剤が処方箋情報に含まれる包装薬剤であるか否かの薬剤監査処理を行う薬剤監査手段とを具えることを特徴とする。
【００１３】
また、請求項２の発明は、請求項１の発明において、前記コード画像は、当該コード画像で特定される処方箋の内容を示す文字情報が印刷される調剤指示書に付加される２次元コードであることを特徴とする。
【００１４】
また、請求項３の発明は、処方箋情報を入力し、該入力した処方箋情報をコード情報に変換してコード画像を印刷する印刷処理手段により印刷されたコード画像を読取って処方箋情報を認識すると共に、包装薬剤の画像を読み取って該包装薬剤の薬剤名を認識し、該認識した薬剤名と前記認識した処方箋情報とから当該読取り対象の包装薬剤が処方箋情報に含まれる包装薬剤であるか否かの薬剤監査処理を行うことを特徴とする。
【００１５】
また、請求項４の発明は、請求項３の発明において、前記コード画像は、当該コード画像で特定される処方箋の内容を示す文字情報が印刷される調剤指示書に付加される２次元コードであることを特徴とする。
【００１６】
また、請求項５の発明は、処理装置で用いられる処理プログラムであって、前記処理装置で入力した処方箋情報をコード情報に変換する変換処理ステップと、コード画像を読取って処方箋情報を認識すると共に、包装薬剤の画像を読み取って該包装薬剤の薬剤名を認識し、該認識した薬剤名と前記認識した処方箋情報とから当該読取り対象の包装薬剤が処方箋情報に含まれる包装薬剤であるか否かの薬剤監査処理を行う薬剤監査装置で読取られるコード画像を、前記変換処理ステップにより変換したコード情報に基づき印刷装置に印刷指示する印刷指示処理ステップとを実行することを特徴とする。
【発明の効果】
【００１７】
以上説明したように、本発明によれば、ＬＡＮなどのインフラ設備が無いような調剤薬局であっても作業性の良い調剤ミス防止手段を低コストにて提供することができる。
【００１８】
また、本発明によれば、調剤ミス防止手段における画像読取装置が薬剤の画像を読み取り入力する手段と、２次元コードを読取り処方箋情報を入力する手段との２役を兼ねることができるので、従来の調剤ミス防止手段のように薬剤情報を読み取り入力する手段と、処方箋情報を読み取り入力する手段を別々に設けなくても済み、それにより、調剤ミス防止手段側のコストを大幅に低減することができる。
【発明を実施するための最良の形態】
【００１９】
以下、本発明に係わる実施の形態を添付図面を参照して詳細に説明する。
【００２０】
まず、本発明を適用した薬剤監査システムの構成について図１乃至図３を用いて説明する。図１は、本発明を適用した薬剤監査システム１００の一構成例を示す図であり、この場合、ある調剤薬局内における薬剤監査システムを例にして示している。また、図２は、図１に示すレセプトコンピュータ１の詳細構成を示す図である。また、図３は、図１に示す薬剤監査処理装置４の詳細構成を示す図である。
【００２１】
図１に示すように、この薬剤監査システム１００は、大きく分けると、レセプトコンピュータ１と、印刷装置２と、画像読取装置３と、薬剤監査処理装置４とを具えて構成される。
【００２２】
ここで、レセプトコンピュータ１は、調剤薬局における窓口業務で用いられる端末である。即ち、処方箋入力などの基本業務や薬剤情報文書の発行などの服薬指導業務、また領収書発行といった会計業務を行う際に用いられる端末であり、主にレセプト（診療報酬明細書）に関するデータ処理すなわち健康保険請求業務用の端末である。特に、本実施例のレセプトコンピュータ１では、薬局訪問者（医療機関等で処方箋を受け取った患者）が持参した処方箋（図１２参照）の情報を入力し、その入力した処方箋情報に基づいて上記レセプトデータ処理を行うと共に、その入力した処方箋情報を予め設定されている２次元コード（ＱＲコード）化情報に基づきコード情報に変換処理し、その変換後のコード情報に基づく所定のコード画像を含んだ調剤指示書Ｂの印刷を印刷装置２に指示する。
【００２３】
尚、ここで、２次元コードとは、ＡＩＭ（国際自動認識工業会）において規格されているＱＲコード（Quick Response code）であり、従来のバーコードに比べ、縦、横二方向に情報を持たせることができることにより大容量情報のコード化が可能であり、また、漢字・かな表現が可能であり、省スペースへの印字が可能であり、誤り訂正がありコードに一部破損或いは汚損があっても読取ることが可能なものである。従って、処方箋のような情報量の多い処方箋情報（患者氏名や、薬剤名及び１日当たりの服薬量、或いは処方する量など）のコード化にも適している。
【００２４】
印刷装置２は、上記レセプトコンピュータ１からの印刷指示に基づき、コード画像を含んだ調剤指示書Ｂを印刷出力するプリンタ等である。
【００２５】
画像読取装置３は、上記印刷装置２で出力され、調剤者等により所定の読取り位置にセットされた調剤指示書Ｂのコード画像Ｂ−１を読取って後段側の薬剤監査処理装置４に転送すると共に、調剤者等によりピッキングされ所定の読取り位置にセットされた包装薬剤Ｃ（図９参照）の薬剤名を示す画像部分を読取って後段側の薬剤監査処理装置４に転送処理する。具体的に、調剤指示書Ｂのコード画像Ｂ−１の読取処理においては、上記レセプトコンピュータ１で処方箋情報を２次元コード化したコード画像Ｂ−１部分を読取って後段側の薬剤監査処理装置４に転送する。また、具体的に、包装薬剤Ｃの薬剤名を示す画像部分の読取処理においては、カプセルや錠剤などを包装しているＰＴＰ（Press Through Package）シートや、紛薬や座薬などを包装しているアルミフィルムの表面上や裏面上に印刷されている販売名、規格、含量等で構成される薬剤名を示す印刷情報の画像部分、或いはガラス製の容器に入れられたアンプル剤のガラス製の容器に貼られたラベル上に印刷されている販売名、規格、含量等で構成される薬剤名を示す印刷情報の画像部分を読取って後段側の薬剤監査処理装置４に転送する。
【００２６】
薬剤監査処理装置４は、上記画像読取装置３から転送されてきたコード画像Ｂ−１の読取り画像データから２次元コードを解読してそのコード画像で特定される処方箋情報を認識すると共に、上記画像読取装置３から転送されてきた包装薬剤の読取り画像データからその包装薬剤の薬剤名を認識する。そして、それら認識処理したデータに基づき、認識薬剤名から現在セットされている包装薬剤が処方箋情報に含まれる包装薬剤であるか否かの薬剤監査処理を行う。尚、この薬剤監査処理装置４における詳細な薬剤監査処理については、同出願人が特許出願済みの特許文献：「特願２００２−３３９５３７号」で示した薬剤認識システムにおける処理動作とほぼ同様の処理を行うものとし、ここでの説明は省略する。即ち、相違する点としては、上記文献において、画像読取装置で薬剤の画像を読取り、画像認識処理装置において手入力或いは通信により取得した処方箋データを用いて薬剤監査処理を行う構成であったのに対し、本実施例では、画像読取装置において、薬剤の画像を読み取ると共に、上述した２次元コードを読み取り、薬剤監査処理装置において読取った２次元コードから処方箋情報を認識し、その認識した処方箋情報を用いて薬剤監査処理を行う点である。つまり、本実施例では、調剤ミス防止手段における画像読取装置が薬剤の画像を読み取り入力する手段と、２次元コードを読取り処方箋情報を入力する手段との２役を兼ねている。
【００２７】
また、レセプトコンピュータ１の詳細構成について図２を用いて説明する。
【００２８】
図２に示すように、このレセプトコンピュータ１は、例えば、本体内部に、制御部１１と、表示処理部１２と、操作処理部１３と、記憶媒体読取り／書込み部１４と、ＲＡＭ１５と、記憶装置（ＨＤＤ）１６と、印刷インタフェース部１７とを具え、本体外部に、ディスプレイ１−１と、キーボード１−２と、マウス１−３とを具えて構成される。
【００２９】
ここで、制御部１１は、このレセプトコンピュータ１における各種処理を制御する。即ち、後述の記憶装置（ＨＤＤ）１６に格納されるレセプト処理プログラム１６−１に基づき、薬局訪問者（患者）が持参した処方箋の情報入力などの基本業務や薬剤情報文書の発行などの服薬指導業務、また領収書発行といった会計業務等の各種処理を制御する。主にレセプト（診療報酬明細書）に関するデータ処理すなわち健康保険請求業務用の処理を行う。また、特に、本実施例のレセプトコンピュータ１では、上記レセプト処理以外に、後述の記憶装置（ＨＤＤ）１６に格納される２次元コード生成／印字処理プログラム１６−２に基づき、薬局訪問者（患者）が持参した処方箋の情報を入力し、その入力した処方箋情報を予め設定されている２次元コード（ＱＲコード）化情報に基づきコード情報に変換処理し、その変換後のコード情報に基づく所定のコード画像を含んだ調剤指示書Ｂの印刷を印刷装置２に指示する処理を行う。
【００３０】
表示処理部１２は、制御部２１の制御の下でディスプレイ２−１への各種情報の表示処理を行う。
【００３１】
操作処理部１３は、制御部２１の制御の下でキーボード２−２或いはマウス２−３からのユーザ操作に応じた入力信号の入力処理を行う。
【００３２】
記憶媒体読取り／書込み部１４は、ＤＶＤや、ＣＤ−ＲＯＭや、フロッピー（登録商標）ディスク等の各種記憶媒体に記憶されているデータを読取ったり、或いはそれら各記憶媒体にデータを書き込む。
【００３３】
ＲＡＭ１５は、ワークメモリであり、作業中のデータを一時記憶する。
【００３４】
記憶装置１６は、このレセプトコンピュータ１における各種処理プログラムや設定情報等を記憶保持するハードディスク（ＨＤＤ）や大型の不揮発性メモリである。特に、本実施例では、制御部２１で用いられるレセプト処理プログラム１６−１を格納すると共に、２次元コード生成／印字処理プログラム１６−２等を格納する。
【００３５】
印刷インタフェース部１７は、印刷装置２との通信インタフェースを採る。
【００３６】
ディスプレイ１−１は、各種情報を表示する表示部であり、ユーザとのインタフェースを採る。
【００３７】
キーボード１−２及びマウス１−３は、ユーザの操作を受け付ける操作部であり、ユーザの操作入力信号を入力するユーザインタフェースを採る。
【００３８】
また、薬剤監査処理装置４の詳細構成について図３を用いて説明する。
【００３９】
図３に示すように、この薬剤監査処理装置４では、本体内部に、制御部４１と、表示処理部４２と、操作処理部４３と、記憶媒体読取り／書込み部４４と、ＲＡＭ４５と、記憶装置（ＨＤＤ）４６と、画像読取インタフェース部４７とを具え、本体外部に、ディスプレイ１−１と、キーボード１−２と、マウス１−３とを具えて構成される。
【００４０】
ここで、制御部４１は、この薬剤監査処理装置４における各種処理を制御する。即ち、後述の記憶装置（ＨＤＤ）４６に格納される２次元コード解読処理プログラム４６−１に基づき、上記画像読取装置３から転送されてきたコード画像Ｂ−１の読取り画像データから２次元コードを解読してそのコード画像で特定される処方箋情報を認識処理する。また、後述の記憶装置（ＨＤＤ）４６に格納される薬剤監査処理プログラム４６−１に基づき、上記画像読取装置３から転送されてきた包装薬剤の読取り画像データからその包装薬剤の薬剤名を認識処理し、そして、上記２次元コード解読処理プログラム４６−１により認識した処方箋情報と、上記認識した薬剤名から現在セットされている包装薬剤が処方箋情報に含まれる包装薬剤であるか否かの薬剤監査処理動作を制御する。
【００４１】
表示処理部４２は、制御部２１の制御の下でディスプレイ４−１への各種情報の表示処理を行う。
【００４２】
操作処理部４３は、制御部２１の制御の下でキーボード４−２或いはマウス４−３からのユーザ操作に応じた入力信号の入力処理を行う。
【００４３】
記憶媒体読取り／書込み部４４は、ＤＶＤや、ＣＤ−ＲＯＭや、フロッピー（登録商標）ディスク等の各種記憶媒体に記憶されているデータを読取ったり、或いはそれら各記憶媒体にデータを書き込む。
【００４４】
ＲＡＭ４５は、ワークメモリであり、作業中のデータを一時記憶する。この実施例では、このＲＡＭ４５を用いて同出願人が特許出願済みの特許文献：「特願２００２−３３９５３７号」に示したアクセプトリスト４５−１及び要検査リスト４５−２を実現する。尚、このＲＡＭ４５ではなく、後述の記憶装置４６にて実現するようにしても良い。ここで、アクセプトリスト４５−１は、薬剤認識処理動作において入力画像と間違いなく照合がとれたと判定された参照画像に対応する薬剤のＩＤ番号を記憶するものである。また、要検査リスト４５−２は、現参照画像について間違いなく照合がとれたわけではなく、他にも、類似度の高い類似薬剤があるようなグレー判定の場合に、現参照画像と類似薬剤のＩＤ番号を記憶するものである。
【００４５】
記憶装置４６は、この薬剤監査処理装置４における各種処理プログラムや設定情報等を記憶保持するハードディスク（ＨＤＤ）や大型の不揮発性メモリである。特に、本実施例では、制御部２１で用いられる２次元コード解読処理プログラム４６−１及び薬剤監査処理プログラム４６−２を格納すると共に、その薬剤監査処理プログラム４６−２で用いる参照画像を格納する認識参照情報記憶領域４６−３を具えている。
【００４６】
画像読取インタフェース部４７は、画像読取装置３との通信インタフェースを採る。
【００４７】
ディスプレイ４−１は、各種情報を表示する表示部であり、ユーザとのインタフェースを採る。
【００４８】
キーボード４−２及びマウス４−３は、ユーザの操作を受け付ける操作部であり、ユーザの操作入力信号を入力するユーザインタフェースを採る。
【００４９】
尚、ここで、上記２次元コード解読処理プログラム４６−１及び薬剤監査処理プログラム４６−２による処理のイメージを図４及び図５にそれぞれ示す。
【００５０】
図４において、２次元コード解読処理では、画像読取装置３から転送されてきた調剤指示書Ｂのコード画像Ｂ−１部分（まわりの画像も含む）の画像データを入力し（Ｓ１１）、まず、画像変換処理及び２次元コード抽出／補正を行う２次元コード抽出処理を行う（Ｓ１２）。その後、抽出した２次元コード画像データから２値化データを抽出するマトリックスデータ作成処理を行う（Ｓ１３）。その後、２値化データから２次元コードを解読処理する２次元コードデコード処理を行う（Ｓ１４）。そして、その解読結果により処方箋情報を示すテキストデータを後段側で使用する情報として出力処理する（Ｓ１５）。
【００５１】
また、図５において、薬剤監査処理では、画像読取装置３から転送されてきた包装薬剤Ｃの画像データを入力すると（Ｓ２１）、上記、２次元コード解読処理において出力された処方箋情報を取得し、その処方箋情報に含まれる薬剤の参照画像を認識参照情報格納領域４６−３から読込処理する（Ｓ２２）。その後、その参照画像と正確に照合が行えるように、入力した薬剤の画像の補正処理を行う（Ｓ２３）。そして、それら参照画像と入力薬剤画像との照合値を算出処理する（Ｓ２４）。そして、この算出した照合値に応じて、照合結果（照合ＯＫ或いは照合ＮＧ等）を調剤指示者に通知する（Ｓ２５）。
【００５２】
次に、上記構成による本発明の処理動作について図６乃至図１３を用いて説明する。
【００５３】
ここで、図６は、上記図１に示した薬剤監査システム１００における調剤監査処理手順を示すフローチャートである。また、図７は、図６に示す薬剤監査処理の詳細な処理手順を示すフローチャートである。また、図８は、調剤薬局内における調剤業務の流れを示す図である。また、図９は、調剤対象となる包装薬剤の概略外観構成を示す図。また、図１０は、調剤者が画像読取装置３に調剤指示書Ｂの２次元コード画像Ｂ−１部分を読取らせている様子及び調剤者が画像読取装置３に包装薬剤Ｃの画像を読取らせている様子を示す図である。また、図１１は、薬剤監査処理装置４の表示部に表示される薬剤監査処理画面の一例を示す図である。また、図１２は、処方箋Ａに記される処方箋情報の一例を示す図である。また、図１３は、調剤指示書Ｂに記される指示情報及び２次元コード画像Ｂ−１の一例を示す図である。
【００５４】
図６において、調剤薬局では、調剤薬局を訪れた患者等の調剤希望者から病院等の医療機関で出された処方箋（図１２参照）を窓口で受け付ける［図８の（ａ）参照］。
【００５５】
そして、調剤薬局では、例えば、窓口の局員がその受け付けた処方箋の情報（患者名や、処方内容としての薬剤名や、１日当たりの服薬量及び服薬時間や、調剤する量等）をレセプトコンピュータ１に入力する(ステップＳ１０１）［図８の（ｂ）参照］。例えば、図１２に示す処方箋の場合、患者の氏名「鈴木  ○子」と、処方内容「１．ア○リール錠１ｍｇ  １日２回：朝・夕食後  １錠３０日分」、「２．アル○ール錠１０ｍｇ  １日１回：朝夕食後  １錠３０日分」、「グリ○ロン錠  １日１回：朝・夕食後  １錠３０日分」等を入力する。
【００５６】
すると、レセプトコンピュータ１では、レセプト処理プログラム１６−１に基づき入力された処方箋情報に応じてレセプト処理業務処理を行うのとは別に、２次元コード生成／印字処理プログラム１６−２に基づき入力した処方箋情報を２次元コードに変換処理し(ステップＳ１０２）、その変換後の２次元コードに基づいて２次元コード画像Ｂ−１付き調剤指示書Ｂの印刷を印刷装置２に指示することで、印刷装置２が調剤指示書Ｂ（図１３参照）を印刷出力する(ステップＳ１０３）。
【００５７】
その後、局員によって、その印刷出力された調剤指示書Ｂの内容をチェックし、入力監査及び処方箋監査（飲合せチェック等を含む）を行う(ステップＳ１０４）［図８の（ｃ）参照］。
【００５８】
そして、入力監査及び処方箋監査が正常に完了した後、上記印刷された調剤指示書Ｂが調剤者に渡される。
【００５９】
すると、調剤者は、その調剤指示書Ｂに記されている調剤対象薬剤名を見て、調剤対象薬剤と思われる包装薬剤を薬剤棚から探し出しかごなどに取り入れる（ピッキングする）(ステップＳ１０５）。尚、上述した処方箋の例では、調剤対象薬剤として、「ア○リール錠１ｍｇ」、「アル○ール錠１０ｍｇ」（例えば、図９参照）、「グリ○ロン錠」の３種類の薬剤と思われる薬剤が調剤者によってかごなどに取り入れられる。
【００６０】
その後、調剤者は、調剤指示書Ｂの２次元バーコード部分を画像読取装置３を使って読み込ませる(ステップＳ１０６）。そして、調剤者は、上記かごに取り入れた薬剤（例えば、図９参照）の画像を次々に画像読取装置３を使って読み込ませることで、薬剤監査処理装置４に対して、上記読み込んだ薬剤の画像と上記読み込んだ２次元バーコードで特定される処方箋情報とに基づいて、調剤者によってピッキングされた薬剤が処方箋情報に含まれる薬剤であるか否かの薬剤監査処理を実行させる（ステップＳ１０７）［図８の（ｄ）参照］。
【００６１】
そして、その薬剤監査処理によって処方箋情報に含まれる薬剤が全て正確に用意されると、その調剤完了した薬剤と共に、上記処理と並行してレセプトコンピュータ１で処理された負担金計算処理に応じて発行される領収書や、薬袋や、薬情や、薬歴をセットにして局員による服薬指導のもと患者に手渡され、会計処理が行われる［図８の（ｅ）参照］。
【００６２】
次に、上記図６の処理ステップＳ１０７の薬剤監査処理の詳細について図７を用いて説明する。
【００６３】
図７において、上記図６の処理ステップＳ１０６において、まず、薬剤監査処理装置４では、ディスプレイ４−１に図１１の（ａ）に示すような画面が表示され、調剤者により画像読取装置３の所定の画像読取窓に調剤指示書Ｂの２次元コード画像Ｂ−１が読取れるように調剤指示書Ｂがセットされ［図１０の（ａ）参照］、調剤指示書の画像が読み込まれると、その読み込んだ画像データが薬剤監査処理装置４に転送される（ステップＳ２０１）。
【００６４】
すると、薬剤監査処理装置４において、図４に示すような処理を行って転送されてきた調剤指示書Ｂの画像データから処方箋情報の認識処理が行われる（ステップＳ２０２）。そして、その認識された処方箋情報が図１１の（ｂ）に示すような画面がディスプレイ４−１に表示される。
【００６５】
そして、その後、ディスプレイ４−１に図１１の（ｃ）に示すような画面が表示され、調剤者によって画像読取装置３の所定の画像読取窓にピッキングされた包装薬剤Ｃの薬剤名を示す画像が読取れるように薬剤Ｃ（例えば、図９参照）がセットされると（ステップＳ２０３）、薬剤の画像が読取られ（ステップＳ２０４）、その読み込んだ画像データが薬剤監査処理装置４に転送される。
【００６６】
すると、薬剤監査処理装置４では、図５に示すような処理を行って転送されてきた薬剤の画像データと、上記ステップＳ２０２で認識した処方箋情報とに基づいて薬剤名の認識処理を行う（ステップＳ２０５）。そして、認識した薬剤名から画像読み込み対象の包装薬剤が上記認識した処方箋情報に含まれる包装薬剤であるか否かの照合処理が行われる（ステップＳＳ２０６）。
【００６７】
この照合の結果、照合がＯＫであった場合、即ち、同出願人が特許出願済みの特許文献：「特願２００２−３３９５３７号」で示した照合処理によりアクセプトリスト４５−１に薬剤のＩＤが１つのみ記憶されていた場合で、画像読取対象の薬剤が処方箋にある薬剤の一つとして正確に特定された場合（ステップＳ２０７ＹＥＳ）、図１１の（ｄ）に示すような画面がディスプレイ４−１に表示される。
【００６８】
次いで、全ての薬剤に対して照合処理が行われたどうかを判定し（ステップＳ２０８）、全て終了していれば（ステップＳ２０８ＹＥＳ）、図１１の（ｇ）に示すような画面がディスプレイ４−１に表示され、薬剤監査がＯＫとなり、ここでの薬剤監査処理を終了して図６の処方完了へと遷移する。尚、全て終了していなければ（ステップＳ２０８ＮＯ）、上記ステップＳ２０３に移行して、他の薬剤の監査処理が行われる。
【００６９】
また、他方、ステップＳ２０６において、照合がＮＧであった場合、即ち、同出願人が特許出願済みの特許文献：「特願２００２−３３９５３７号」で示した照合処理によりアクセプトリスト４５−１に薬剤のＩＤが１つのみ記憶されることなく、（I）アクセプトリストにＩＤが２つ以上ある場合、（II）アクセプトリストにＩＤが１つも無く、要検査リストにＩＤが１つ以上ある場合、（III）アクセプトリスト及び要検査リストにＩＤが１つも無い場合、のいずれかであった場合であり、画像読取対象の薬剤が処方箋にある薬剤の一つとして正確に特定されなかった場合（ステップＳ２０７ＮＯ）、例えば、図１１の（ｅ）に示すような画面がディスプレイ４−１に表示され、調剤者による読取った画像の目視確認が行われ（ステップＳ２０９）、例えば、図１１の（ｆ）に示す画面の表示に基づき、調剤者により読取った薬剤が処方箋にある薬剤であることが正確に特定できその薬剤名が入力された場合（ステップＳ２１０）、上述のステップＳ２０８に移行して以下同様の処理を行う。
【００７０】
また、上記ステップＳ２０９の処理において、調剤者により読取った薬剤が処方箋にない薬剤であることが完全に把握され、新たにピッキングした薬剤の画像を読み込ませたい場合や、同じ薬剤の画像を再度正確に読み込ませたい場合（ステップＳ２０９ＮＯ）、上記ステップＳ２０３に移行して調剤者により再度ピッキングにより探し出された調剤対象薬剤であると思われる薬剤がセットされ、以下同様の処理が行われる。
【００７１】
尚、上記図６及び図７に示す処理手順では、作業者が調剤指示書Ｂなどを見てかごなどに薬剤Ｃを取ってきて、その後に取ってきた薬剤を次々に薬剤認識装置を使って監査を行う場合の流れについて示したが、これとは別に、先に調剤指示書Ｂを読み込ませてから、その後に薬剤棚から調剤対象の薬剤を一つピッキングしてきて薬剤監査を行い、その薬剤の監査が正常に終了したら、次の薬剤をピッキングしてきて薬剤監査を行うようにしても良い。
【００７２】
以上説明した構成によると、ＬＡＮなどのインフラ設備が無いような調剤薬局であっても調剤ミス防止手段（薬剤監査処理装置４）に実用的な方法により処方箋情報を入力することができ、作業性の良い調剤ミス防止手段を低コストにて提供することができる。また、ＯＣＲ等で入力するより精度良く確実に処方箋情報を調剤ミス防止手段（薬剤監査処理装置４）に入力することができる。
【００７３】
また、上記実施例では、町などにある調剤薬局内において、患者が持ちこんだ処方箋の情報をレセプトコンピュータ１に入力し、このレセプトコンピュータ１で入力した処方箋情報をＱＲコード等の２次元コード情報に変換し、処方箋情報を含む２次元コード画像が付加された調剤指示書を印刷装置２で出力し、その出力された調剤指示書に付加された２次元コードを画像読取装置３で読み取って薬剤監査処理装置４に転送することで、薬剤監査処理装置４に薬剤監査に必要な処方箋情報を入力するシステムを例にして示したが、本発明はこれに限定されない。即ち、例えば、処方箋を出す病院等の医療機関側において、２次元コード画像が付加された調剤指示書を印刷発行して患者に渡すようなシステムを構築し、調剤薬局側において、患者から受け取った調剤指示書から処方箋情報をレセプト処理端末に入力したり、その調剤指示書に付加された２次元コードを画像読取装置３で読取って薬剤監査処理装置４に転送することで、薬剤監査処理装置４に薬剤監査に必要な処方箋情報を入力するシステムを構築すようにしても良い。
【００７４】
即ち、このようにシステムを構築することで、調剤薬局側には２次元コードを印刷する手段（印刷処理プログラム等）を設けなくて済み、調剤薬局側の負担するコストを極力抑えることが可能となる。
【００７５】
また、上記実施例で示したように、紙状の媒体に文字で処方箋情報が記されている処方箋を用いる場合においては、以下のような効果が言える。
【００７６】
従来、インフラ設備がないような調剤薬局において、調剤チェックを行う端末に処方箋データを入力する方法として、その端末において処方箋の内容を見ながら手入力したり或いは処方箋の画像をスキャナで読取り、ＯＣＲ等でテキスト入力する方法が考えられるが、その場合では、レセプト処理端末へ処方箋データを入力する必要があるにもかかわらず、その処方箋データを利用せずに同じ内容の処方箋データを処方箋の内容を見ながら手入力したり、処方箋の画像をスキャンし、ＯＣＲ等を用いて調剤チェック端末に入力するのは実用的ではなく、また時間がかかり煩わしいものである。また、上述したものとは逆に、調剤チェック端末に処方箋データを最初に入力してからレセプト処理端末等に転送するような形態でも、同じような問題があると言える。つまり、転送する為のインフラ設備が必要となりコスト高となる。
【００７７】
即ち、現状の調剤薬局のように、処方箋データを調剤チェック端末以外に利用するレセプト処理端末のような処理端末等があるような場合、実用性を考えると、それら端末間で処方箋データを転送するＬＡＮ等のインフラ設備が必要となるが、そのインフラ設備を用意するとコスト的に不経済なものとなる。
【００７８】
これに対し、本発明によれば、処方箋データを調剤チェック端末以外に利用するレセプト処理端末のような処理端末等があるような調剤薬局において、インフラ設備を用意しなくてもそれら調剤チェック端末やレセプト処理端末において実用性の高い方法で処方箋データの入力を行うことができる。
【００７９】
尚、上記実施例では、処方箋情報をコード化するのに２次元コード（ＱＲコード）を利用する例を示したが、これに限らず、その他のコードを利用するようにしても良い。
【００８０】
最後に、上記実施例では、現状を踏まえて、図１２に示すような医療機関等で出された紙状の媒体に文字で処方箋情報が記されている処方箋を例にして説明したが、本発明は、これに限定されず、将来的には、例えば、ＩＣチップを有したカード状或いはコイン状等の記録媒体や、磁気カードのような記録媒体にデータとして処方箋情報が記録されるケースを想定し、そのような記録媒体であっても適用できるものとする。
【００８１】
即ち、そのような場合、［１］：２次元コードを調剤薬局で印刷する形態では、レセプトコンピュータ１に上記記録媒体に記録された処方箋情報を読み取る処方箋情報読取装置を接続したり、或いは、レセプトコンピュータ１内部に上記記録媒体に記録された処方箋情報を読み取る処方箋情報読取装置を組み込む。そして、そのような処方箋情報読取装置で読取った処方箋情報からレセプトコンピュータ１で２次元コードを生成して印刷する為の処理プログラム（ソフトウェア）を用意する。
【００８２】
また、［２］；２次元コードを医療機関で印刷する形態では、医療機関のパーソナルコンピュータのような処理端末に上記記録媒体に記録された処方箋情報を読み取る処方箋情報読取装置を接続したり、或いは、上記処理端末内部に上記記録媒体に記録された処方箋情報を読み取る処方箋情報読取装置を組み込む。そして、そのような処方箋情報読取装置で読取った処方箋情報から処理端末で２次元コードを生成して印刷する為の処理プログラム（ソフトウェア）を用意する。
【産業上の利用可能性】
【００８３】
本発明の薬剤監査システム及び薬剤監査装置、処理プログラムは、病院などの薬局或いは調剤薬局における調剤システムに利用可能である。本発明の薬剤監査システム及び薬剤監査装置、処理プログラムによれば、ＬＡＮなどのインフラ設備が無いような調剤薬局であっても作業性の良い調剤ミス防止手段を低コストにて提供することができる。また、調剤ミス防止手段における画像読取装置が薬剤の画像を読み取り入力する手段と、２次元コードを読取り処方箋情報を入力する手段との２役を兼ねることができるので、従来の調剤ミス防止手段のように薬剤情報を読み取り入力する手段と、処方箋情報を読み取り入力する手段を別々に設けなくても済み、それにより、調剤ミス防止手段側のコストを大幅に低減することができる。
【図面の簡単な説明】
【００８４】
【図１】本発明を適用した薬剤監査システムの一構成例を示す図である。
【図２】図１に示すレセプトコンピュータの一構成例を示す図である。
【図３】図１に示す薬剤監査処理装置の一構成例を示す図である。
【図４】２次元コード解読処理プログラムによる処理のイメージを示す図である。
【図５】薬剤監査処理プログラムによる処理のイメージを示す図である。
【図６】本発明における薬剤監査処理手順を示す図である。
【図７】図６に示す薬剤監査処理を更に詳細にした処理手順を示す図である。
【図８】本発明を適用した場合の調剤業務の流れを示す図である。
【図９】本発明で薬剤監査対象となる包装薬剤の表面及び裏面の概略外観を示す図である。
【図１０】本発明の薬剤監査システムにおいて調剤者が調剤指示書の２次元コードと、薬剤の画像を画像読取装置に読み取らせている様子を示す図である。
【図１１】薬剤監査処理装置の表示部上に表示される薬剤監査処理画面の一構成例を示す図である。
【図１２】処方箋の外観概略構成を示す図である。
【図１３】調剤指示書の外観概略構成を示す図である。
【符号の説明】
【００８５】
１００…薬剤監査システム
１…レセプトコンピュータ
２…印刷装置
３…画像読取装置
４…薬剤監査処理装置
Ａ…処方箋
Ｂ…調剤指示書
Ｃ…包装薬剤
【図１】
2005034479.tif 000003
【図２】
2005034479.tif 000004
【図３】
2005034479.tif 000005
【図４】
2005034479.tif 000006
【図５】
2005034479.tif 000007
【図６】
2005034479.tif 000008
【図７】
2005034479.tif 000009
【図８】
2005034479.tif 000010
【図９】
2005034479.tif 000011
【図１０】
2005034479.tif 000012
【図１１】
2005034479.tif 000013
【図１２】
2005034479.tif 000014
【図１３】
2005034479.tif 000015